(57)【要約】      （修正有）【課題】白米の２単位分の量を１度に取り出すことができる上、洗浄する際の利便性が高い米計量器の構造を提供する。【解決手段】米計量器の構造は、米計量台１０、計量器２０、制御セット３０及び貯蔵ボックス４０を備える。米計量台１０は、頂面に２つの計量溝１１と、両側の外縁に係合部１２と、正面に押ボタン口１３及び摺動口１４が設けられる。押ボタン口１３と摺動口１４との間に、位置規制孔１５が設けられ、摺動口１４に米取出しボックスが配置され、底面に摺動可能の固定盤１７が配置されている。計量器２０は、計量溝１１に対応した２つの計量部材２１を有し、計量部材２１は、入口カバー２２で上が覆われて形成された計量空間２１１を有し、押ボタン口１３に向かって連動ピン２１２が凸設され、入口カバー２２には、計量空間２１１に連通した流通口２２１が設けられている。【選択図】図２
0003158484.tif 000002
【実用新案登録請求の範囲】
【請求項１】
米計量台、計量器、制御セット及び貯蔵ボックスを備えた米計量器の構造であって、
前記米計量台は、頂面に２つの計量溝、両側の外縁に係合部、正面に押ボタン口及び摺動口がそれぞれ設けられ、また、前記押ボタン口と前記摺動口との間に位置規制孔が設けられ、前記摺動口に米取出しボックスが配置され、底面に摺動可能な固定盤が配置されており、
前記計量器は、前記計量溝内に配置され、該計量溝に対応した２つの計量部材を有し、該計量部材は、入口カバーで上が覆われて形成された計量空間を有し、前記押ボタン口に向かって連動ピンが凸設され、前記入口カバーには、前記計量空間に連通した流通口が設けられており、
前記制御セットは、第１の押圧ブロック及び第２の押圧ブロックを含み、該第１の押圧ブロック及び第２の押圧ブロックから下向きにピンが延設され、ピンの末端には２つの弾性部材が配置され、前記米計量台の前記位置規制孔の中に前記弾性部材を配置することにより、前記計量器と前記押ボタン口との間に前記制御セットが配置され、前記第１の押圧ブロック及び前記第２の押圧ブロックには、連動ピンを挿入するために用いる凹部溝が設けられ、前記押ボタン口の端部には、偏心した制御レバーが凸設され、前記第２の押圧ブロックの側部には、同期部材が凸設され、該同期部材は、前記第１の押圧ブロックの上端に当接されており、
前記貯蔵ボックスは、両側部の固定部により、前記米計量台の前記係合部と係合し、収納室と前記入口カバーとが連通することを特徴とする米計量器の構造。
【請求項２】
前記米計量台の背面には、両側面にスライドブロックが凸設された結合溝が設けられ、前記固定盤の両側面には、前記スライドブロックに対応したスライド溝が設けられ、前記スライド溝と前記スライドブロックとを結合することにより、前記米計量台の底部に前記固定盤を配置させることを特徴とする請求項１に記載の米計量器の構造。
【請求項３】
前記固定盤は、２つの前記スライド溝の開口端部にＣ字状係合部がそれぞれ形成され、  前記結合溝の内部には、固定柱が凸設され、前記Ｃ字状係合部と前記固定柱とを結合することを特徴とする請求項２に記載の米計量器の構造。
【請求項４】
前記固定盤の上面には、前記米取出しボックスが摺動可能な空間を制限するように、複数の位置規制ブロックが凸設されていることを特徴とする請求項１に記載の米計量器の構造。
【請求項５】
前記貯蔵ボックスは、上カバーで上面を覆い、設置カバーが枢着される投入口を正面に有することを特徴とする請求項１に記載の米計量器の構造。
【請求項６】
前記上カバーは、内周縁部に複数の挟着部が凸設され、前記挟着部と前記上カバーの外縁との間に形成された結合隙間を、前記貯蔵ボックスの上面の周縁で挟んで固定することを特徴とする請求項５に記載の米計量器の構造。
【請求項７】
前記第１の押圧ブロック及び前記第２の押圧ブロックの前記制御レバーのそれぞれには、第１のボタン及び第２のボタンがそれぞれ外嵌されることを特徴とする請求項１に記載の米計量器の構造。
【請求項８】
前記計量部材の前記計量空間の中には、調整ブロックが配置され、前記米計量台の頂面には、前記調整ブロックに対応する装着孔が凹設されていることを特徴とする請求項１に記載の米計量器の構造。
【請求項９】
前記米計量台の正面は、前記押ボタン口及び前記摺動口に対応した開口を有するパネルで覆われていることを特徴とする請求項１に記載の米計量器の構造。
【請求項１０】
前記計量溝と前記米取出しボックスとの間には、前記計量溝と前記米取出しボックスとが直接連通するように、前記計量溝の下端に米排出シュートが周設されていることを特徴とする請求項１に記載の米計量器の構造。
【考案の詳細な説明】
【技術分野】
【０００１】
本考案は、米計量器の構造に関し、より詳しくは、白米の２単位分の量を１度に取り出すことができ、洗浄する際の利便性が高い２段式の米計量器の構造に関する。
【背景技術】
【０００２】
従来の米計量器の構造は、図１０及び図１１に示すように、米計量器５０の内部に米計量筒６０が配置されている（例えば、特許文献１参照）。米計量筒６０は、上方に米貯蔵スペース５１が設けられ、下方に米取出しボックス５２が配置されている。米計量器５０の正面には、米計量筒６０に対応した位置に制御口５３が設けられている。米計量筒６０は、側部開口６１を有する米計量管６２を含み、米計量管６２の中央部分には連動レバー６３が設けられ、連動レバー６３の末端のギヤ６４と、ボタン６５の端部のラックギヤ６６とが噛み合っている。ボタン６５は、回転軸６７を介して米計量器５０に枢着し、米計量器５０の制御口５３に凸設されている。
実際に使用する際は、ボタン６５を押圧すると、ラックギヤ６６がギヤ６４を連動し、ギヤ６４の連動レバー６３により米計量管６２が反転し、米計量管６２の中に収納されている１単位分の量を取り出すことができる。
【０００３】
しかし、従来の技術には、以下（１）及び（２）の欠点があった。
（１）従来の米計量筒６０は、ギヤ６４とラックギヤ６６とを噛み合わせて駆動していたため、１単位分の量しか取り出すことができなかった。そのため、２単位分の量が必要な場合、連続して２回押圧しなければならなかった。しかし、押圧した回数を忘れてしまう虞がある上、時間も浪費されるため、実用的でなかった。
（２）従来の米計量器５０は、米計量器５０の上方に米貯蔵スペース５１を設けており、このような高さのある直方体形状であるから、大量の白米が貯蔵されると、上部に重心が移り、米計量器５０の底端が固定されていない場合、倒れる虞があった。また、米計量器５０の底端を固定した場合、取り外して洗浄することが困難となり利便性が低下した。
【先行技術文献】
【特許文献】
【０００４】
【特許文献１】特開２００４−３４４６２１号公報
【考案の開示】
【考案が解決しようとする課題】
【０００５】
本考案の課題は、白米の２単位分の量を１度に取り出すことができる上、洗浄する際の利便性が高い米計量器の構造を提供することにある。
【課題を解決するための手段】
【０００６】
上記課題を解決するために、本考案の第１の形態によれば、米計量台、計量器、制御セット及び貯蔵ボックスを備えた米計量器の構造であって、前記米計量台は、頂面に２つの計量溝、両側の外縁に係合部、正面に押ボタン口及び摺動口がそれぞれ設けられ、また、前記押ボタン口と前記摺動口との間に位置規制孔が設けられ、前記摺動口に米取出しボックスが配置され、底面に摺動可能な固定盤が配置されており、前記計量器は、前記計量溝内に配置され、該計量溝に対応した２つの計量部材を有し、該計量部材は、入口カバーで上が覆われて形成された計量空間を有し、前記押ボタン口に向かって連動ピンが凸設され、前記入口カバーには、前記計量空間に連通した流通口が設けられており、前記制御セットは、第１の押圧ブロック及び第２の押圧ブロックを含み、該第１の押圧ブロック及び第２の押圧ブロックから下向きにピンが延設され、ピンの末端には２つの弾性部材が配置され、前記米計量台の前記位置規制孔の中に前記弾性部材を配置することにより、前記計量器と前記押ボタン口との間に前記制御セットが配置され、前記第１の押圧ブロック及び前記第２の押圧ブロックには、連動ピンを挿入するために用いる凹部溝が設けられ、前記押ボタン口の端部には、偏心した制御レバーが凸設され、前記第２の押圧ブロックの側部には、同期部材が凸設され、該同期部材は、前記第１の押圧ブロックの上端に当接されており、前記貯蔵ボックスは、両側部の固定部により、前記米計量台の前記係合部と係合し、収納室と前記入口カバーとが連通することを特徴とする米計量器の構造が提供される。
【０００７】
また、本考案の第１の形態において、前記米計量台の背面には、両側面にスライドブロックが凸設された結合溝が設けられ、前記固定盤の両側面には、前記スライドブロックに対応したスライド溝が設けられ、前記スライド溝と前記スライドブロックとを結合することにより、前記米計量台の底部に前記固定盤を配置させることが好ましい。
【０００８】
また、前記固定盤は、２つの前記スライド溝の開口端部にＣ字状係合部がそれぞれ形成され、前記結合溝の内部には、固定柱が凸設され、前記Ｃ字状係合部と前記固定柱とを結合することが好ましい。
【０００９】
また、本考案の第１の形態において、前記固定盤の上面には、前記米取出しボックスの摺動可能な空間を制限するように、複数の位置規制ブロックが凸設されていることが好ましい。
【００１０】
また、本考案の第１の形態において、前記貯蔵ボックスは、上カバーで上面を覆い、設置カバーが枢着される投入口を正面に有することが好ましい。
【００１１】
また、前記上カバーは、内周縁部に複数の挟着部が凸設され、前記挟着部と前記上カバーの外縁との間に形成された結合隙間を、前記貯蔵ボックスの上端の周縁で挟んで固定することが好ましい。
【００１２】
また、本考案の第１の形態において、前記第１の押圧ブロック及び前記第２の押圧ブロックの前記制御レバーのそれぞれには、第１のボタン及び第２のボタンがそれぞれ外嵌されることが好ましい。
【００１３】
また、本考案の第１の形態において、前記計量部材の前記計量空間の中には、調整ブロックが配置され、前記米計量台の頂面には、前記調整ブロックに対応する装着孔が凹設されていることが好ましい。
【００１４】
また、本考案の第１の形態において、前記米計量台の正面は、前記押ボタン口及び前記摺動口に対応した開口を有するパネルで覆われていることが好ましい。
【００１５】
さらに、本考案の第１の形態において、前記計量溝と前記米取出しボックスとの間には、前記計量溝と前記米取出しボックスとが直接連通するように、前記計量溝の下端に米排出シュートが周設されていることが好ましい。
【考案の効果】
【００１６】
本考案の米計量器の構造は、白米の２単位分の量を１度に取り出すことができるから、従来の米計量器のように、ボタンを連続して２回押圧する必要がない。しかも、大量の白米が貯蔵されても、米計量器が倒れる虞がなく、米計量台や米取出しボックスを取り外して洗浄することができるから、利便性が高い。
【図面の簡単な説明】
【００１７】
【図１】本考案の一実施形態による米計量器の構造を示す斜視図である。
【図２】本考案の一実施形態による米計量器の構造を示す分解斜視図である。
【図３】本考案の一実施形態による米計量器の構造を示す正面断面図である。
【図４】本考案の一実施形態による米計量器の構造を示す側面断面図である。
【図５】本考案の一実施形態による米を投入するときの米計量器の構造を示す部分断面図である。
【図６】本考案の一実施形態による米計量器の構造により米を計量するときの状態を示す部分断面図である。
【図７】本考案の一実施形態による米計量器の第１の使用状況を示す模式図である。
【図８】本考案の一実施形態による米計量器の第２の使用状況を示す模式図である。
【図９】本考案の一実施形態による米計量器を洗浄するときの状態を示す斜視図である。
【図１０】従来の米計量器の内部構造を示す斜視図である。
【図１１】従来の米計量器の米計量筒を示す斜視図である。
【考案を実施するための最良の形態】
【００１８】
以下、本考案の実施形態について図に基づいて説明する。なお、これによって本考案が限定されるものではない。
【００１９】
まず、図１〜図３を参照して、本考案の米計量器の構造を説明する。図１〜図３に示すように、本考案の一実施形態による米計量器は、米計量台１０、計量器２０、制御セット３０及び貯蔵ボックス４０からなっている。
米計量台１０は、頂面に２つの計量溝１１が設けられ、両側の外縁に係合部１２が設けられ、正面に押ボタン口１３及び摺動口１４が設けられている。押ボタン口１３と摺動口１４との間には位置規制孔１５が設けられ、摺動口１４には米取出しボックス１６が配置されている。米計量台１０には、計量溝１１と米取出しボックス１６との間に米排出シュート１１１が配置されている。この米排出シュート１１１は、計量溝１１と米取出しボックス１６とが直接連通するように、計量溝１１の下端に周設されている。米計量台１０は、底面に摺動可能に固定盤１７が配置され、背面に結合溝１８が開設されている（図９に示す）。結合溝１８の両側面には、スライドブロック１８１が凸設されている。
固定盤１７の両側面には、スライドブロック１８１に対応したスライド溝１７１が設けられている。スライド溝１７１とスライドブロック１８１とを結合することにより、米計量台１０の底部に固定盤１７を配置させることができる。固定盤１７は、２つのスライド溝１７１の開口端部にＣ字状係合部１７２がそれぞれ形成され、結合溝１８の内部には、固定柱１８２が凸設されている（図９に示す）。即ち、Ｃ字状係合部１７２と固定柱１８２とを結合し、固定盤１７の上面には、米取出しボックス１６の摺動可能な空間を制限するために用いる複数の位置規制ブロック１７３が凸設されている。米計量台１０の正面は、米計量台１０の押ボタン口１３及び摺動口１４に対応した開口を有するパネル１９で覆われている。
【００２０】
計量器２０は、計量溝１１内に配置され、計量溝１１それぞれに対応した２つの計量部材２１が設けられている。計量部材２１は、上端が入口カバー２２で覆われて形成された計量空間２１１を有し、押ボタン口１３の端部には連動ピン２１２が凸設され、入口カバー２２には、計量空間２１１と連通した流通口２２１が開設されている。
【００２１】
制御セット３０は、第１の押圧ブロック３１及び第２の押圧ブロック３２を含み、第１の押圧ブロック３１及び第２の押圧ブロック３２の下向きに延設されたピン３１１，３２１の末端には、２つの弾性部材３３が配置されている。米計量台１０の位置規制孔１５の中に弾性部材３３を配置することにより、計量器２０と押ボタン口１３との間に制御セット３０が配置される。第１の押圧ブロック３１及び第２の押圧ブロック３２には、連動ピン２１２を挿入するために用いる凹部溝３１２，３２２が設けられ、押ボタン口１３に向かって制御レバー３１３，３２３が凸設されている。制御レバー３１３，３２３には、第１の押圧ブロック３４及び第２の押圧ブロック３５がそれぞれ外嵌されている。  第２の押圧ブロック３２には、同期部材３２４が凸設されている。同期部材３２４は、第１の押圧ブロック３１の上端に当接されている。
貯蔵ボックス４０は、２つの側部に設けられた固定部４１を用い、米計量台１０の係合部１２に対応するように上端で係合し、収納室４２と入口カバー２２とを連通させている。貯蔵ボックス４０は、上カバー４３で上端を覆い、正面の投入口４４に設置カバー４５が枢着されている。上カバー４３は、内周縁部に複数の挟着部４３１が凸設され、挟着部４３１と上カバー４３の外縁との間に形成された結合隙間４３２を、貯蔵ボックス４０の上端の周縁で挟んで固定する。
【００２２】
本考案の米計量器を組み立てるには、図２〜図４に示すように、米計量台１０の計量溝１１の下方に米排出シュート１１１を設け、米計量台１０の摺動口１４へ摺動可能な米取出しボックス１６を設置する。結合溝１８のスライドブロック１８１は、固定盤１７のスライド溝１７１に対して摺動可能であり、Ｃ字状係合部１７２に固定柱１８２を組み合わせ、米計量台１０の底面に固定盤１７を配置する。計量器２０の計量部材２１は、米計量台１０の計量溝１１の中に対応するように配置するとともに、計量溝１１の前後端に計量部材２１が回転可能に設け、計量部材２１の上端を入口カバー２２で覆う。
制御セット３０は、計量器２０と米計量台１０の押ボタン口１３との間に配置し、位置規制孔１５の中に制御セット３０の弾性部材３３を設置し、弾性部材３３の上端に第１の押圧ブロック３１及び第２の押圧ブロック３２のピン３１１及びピン３２１をそれぞれ配置する。第１の押圧ブロック３１及び第２の押圧ブロック３２の凹部溝３１２，３２２は、連動ピン２１２を挿入することができるように、計量部材２１の側部に設ける。制御レバー３１３，３２３は、米計量台１０の押ボタン口１３に向けて設ける。
第２の押圧ブロック３２の同期部材３２４が、第１の押圧ブロック３１の上端に当接しているため、第１の押圧ブロック３１と第２の押圧ブロック３２とが連動する。第１のボタン３４及び第２のボタン３５は、押ボタン口１３の外側に配置している。第１の押圧ブロック３１及び第２の押圧ブロック３２の制御レバー３１３，３２３に、第１のボタン３４及び第２のボタン３５を固定してから、米計量台１０の正面にパネル１９を組み合わせると、第１のボタン３４及び第２のボタン３５の位置が拘束される。
米計量台１０の上方に貯蔵ボックス４０を取り付け、米計量台１０の係合部１２に貯蔵ボックス４０の固定部４１を係合し、貯蔵ボックス４０の頂面を上カバー４３で覆い、上カバー４３の結合隙間４３２を挟んで固定し、投入口４４に設置カバー４５を枢着すれば組立てが完成する。
【００２３】
本実施形態の米計量器２０を用いて、白米を計量する際には、図２、図５及び図６に示すように、まず、米計量器２０の貯蔵ボックス４０の収納室４２の設置カバー４５を回転して開けて、投入口４４から、入口カバー２２に直接連通した収納室４２の中へ白米を投入する。白米が、流通口２２１から計量部材２１の計量空間２１１の中に充填される。計量部材２１は、計量空間２１１の中に調整ブロック２１３を配置しており、米計量台１０の頂面には、調整ブロック２１３に対応した装着孔１０１が凹設されているので、使用する白米の種類に応じて量を調整することができる。例えば、無洗米は、一般の米より重いため、一般の米と重さが同じになるように、計量空間２１１の中に調整ブロック２１３を設置しておけば、無洗米の充填量を減らすことができる。また、調整ブロック２１３を使用しないときは、調整ブロック２１３を米計量台１０の装着孔１０１に置くことで米の量を調整することができる。
【００２４】
図７に示す第１の使用状況では、少量（例えば、１５０ｇ）の白米を計量する場合、押ボタン口１３に設けた第１のボタン３４を押圧する。第１のボタン３４を押すことで第１の押圧ブロック３１が下向きに変位する。第１の押圧ブロック３１は、ピン３１１で弾性部材３３を押下げ、第１の押圧ブロック３１の端部に設けられた弾性部材３３が収縮するとともに、第１の押圧ブロック３１の凹部溝３１２により計量部材２１の連動ピン２１２が連動し、計量部材２１の反転により白米が排出され、入口カバー２２の流通口２２１を覆い、計量空間２１１の中の白米が米取出しボックス１６の中に入り、米を計量することができる。
【００２５】
一方、図８に示すように、大量（例えば、３００ｇ）の白米を計量する場合、第２のボタン３５を直接押圧する。これにより、第２の押圧ブロック３２が下向きに変位し、弾性部材３３の圧縮と計量部材２１の反転とを同時に行うとともに、第１の押圧ブロック３１の頂端に第２の押圧ブロック３２の同期部材３２４が当接して第１の押圧ブロック３１を押下げ、２つの計量部材２１が同時に反転して米が排出される。これにより、１回の動作で２単位分の米を計量することができる。
【００２６】
その後、第１のボタン３４又は第２のボタン３５を離すと、弾性部材３３の弾力により制御セット３０が復位し、次回の米計量を行う準備が完了する。図９に示すように、本実施形態の米計量台１０の底端に設けられた摺動可能な固定盤１７は、卓上、キャビネットなどに螺着させることができる。また、この米計量台１０は、洗浄する際、固定盤１７から取り外すことができるため実用性が高い。
【００２７】
当該分野の技術を熟知するものが理解できるように、本考案の好適な実施形態を前述の通り開示したが、これらは決して本考案を限定するものではない。本考案の主旨と領域を逸脱しない範囲内で、各種の変更や修正を加えることができる。従って、本考案の実用新案登録請求の範囲は、このような変更や修正を含めて広く解釈されるべきである。
【符号の説明】
【００２８】
１０  米計量台
１１  計量溝
１２  係合部
１３  押ボタン口
１４  摺動口
１５  位置規制孔
１６  米取出しボックス
１７  固定盤
１８  結合溝
１９  パネル
２０  計量器
２１  計量部材
２２  入口カバー
３０  制御セット
３１  第１の押圧ブロック
３２  第２の押圧ブロック
３３  弾性部材
３４  第１のボタン
３５  第２のボタン
４０  貯蔵ボックス
４１  固定部
４２  収納室
４３  上カバー
４４  投入口
４５  設置カバー
５０  米計量器
５１  米貯蔵スペース
５２  米取出しボックス
５３  制御口
６０  米計量筒
６１  側部開口
６２  米計量管
６３  連動レバー
６４  ギヤ
６５  ボタン
６６  ラックギヤ
６７  回転軸
１０１  装着孔
１１１  米排出シュート
１７１  スライド溝
１７２  Ｃ字状係合部
１７３  位置規制ブロック
１８１  スライドブロック
１８２  固定柱
２１１  計量空間
２１２  連動ピン
２１３  調整ブロック
２２１  流通口
３１１  ピン
３１２  凹部溝
３１３  制御レバー
３２１  ピン
３２２  凹部溝
３２３  制御レバー
３２４  同期部材
４３１  挟着部
４３２  結合隙間
【図１】
0003158484.tif 000003
【図２】
0003158484.tif 000004
【図３】
0003158484.tif 000005
【図４】
0003158484.tif 000006
【図５】
0003158484.tif 000007
【図６】
0003158484.tif 000008
【図７】
0003158484.tif 000009
【図８】
0003158484.tif 000010
【図９】
0003158484.tif 000011
【図１０】
0003158484.tif 000012
【図１１】
0003158484.tif 000013